(57)【特許請求の範囲】
【請求項１】
長手方向にスリット孔を有する回動可能な第１連動部材と、この第１連動部材の長手方向と直交する方向に配設され、長溝を有すると共に、回動可能な第２連動部材と、前記第１と第２の連動部材を内部に架設する枠体と、前記スリット孔と前記長溝とに挿通され、前記第２連動部材に傾動可能に軸支される操作軸と、この操作軸の操作により前記第１と第２の連動部材を介して操作可能な前記枠体に取り付けられた複数の電気部品と、前記操作軸の非操作時には前記操作軸を直立の中立状態に自動復帰させる復帰バネと、前記枠体内部に位置する前記操作軸の先端部に移動可能に支持した操作体と、前記復帰バネの弾性力で前記操作体が弾接して、前記枠体の下部を蓋閉する底板とを備え、前記操作軸に前記復帰バネを収納する収納部を有する筒部を設け、この筒部を前記第２連動部材の前記長溝内に軸支したことを特徴とする多方向入力装置。
【請求項２】
前記操作軸には、前記筒部の外壁の一部に軸支部を設け、前記第２連動部材の前記長溝内に前記軸支部が係合可能な係合部を有し、前記軸支部を前記係合部に係合させて前記操作軸を前記第２連動部材に軸支するようにしたことを特徴とする請求項１記載の多方向入力装置。
【請求項３】
前記操作軸の前記軸支部を凸状、または凹状に形成し、前記第２連動部材の前記係合部を前記軸支部が係合可能な凹状、または凸状に形成したことを特徴とする請求項２記載の多方向入力装置。
【請求項４】
前記操作体は、底面が皿状の基部を有し、この基部の中央部に前記枠体の内方に向けて突出するボス部を設け、前記操作軸の先端部を前記ボス部に形成した軸孔に挿入すると共に、前記ボス部を前記収納部に移動可能に嵌合させるようにしたことを特徴とする請求項１記載の多方向入力装置。
【請求項５】
前記収納部に収納した前記復帰バネを前記ボス部に弾接したことを特徴とする請求項１記載の多方向入力装置。
【請求項６】
前記操作体の底面の外形の大きさを、前記操作軸の前記収納部より大きくしたことを特徴とする請求項４記載の多方向入力装置。
【発明の詳細な説明】
【０００１】
【発明の属する技術分野】
本発明は多方向入力装置に係わり、操作軸を操作することにより、複数の電気部品を同時に操作することができる多方向入力装置に関する。
【０００２】
【従来の技術】
従来の多方向入力装置は図１１〜図１３に示すように、周囲が側板で覆われ下方側が開放された箱状の枠体３０内部に、アーチ状に湾曲形成した第１連動部材３１が配設されている。この第１連動部材３１は、両端部に取付部３１ａがそれぞれ形成され、この両端部の取付部３１ａが枠体３０の側板に形成された孔３０ｃ、３０ａに挿入され、第１連動部材３１が枠体３０内に回動可能に架設されている。
前記取付部３１ａの端面には孔３４が設けられ、この孔３４に可変抵抗器３２の回転軸３３が圧入されて係合するようになっている。また、湾曲形成されたアーチ状の部分には、長手方向にスリット孔３５が設けられている。
【０００３】
前記第１連動部材３１の下方側には、第１連動部材３１と直交する方向に第２連動部材４０が配設されている。この第２連動部材４０は中央部に球体４１を有し、この球体４１から左右の水平方向に延出するアーム部４２、４２を有し、各アーム部４２の先端部には、それぞれ円形の取付部４２ａが突出形成され、この取付部４２ａが枠体３０の孔３０ｂ、３０ｄに挿入され、第２連動部材４０が枠体３０内に回動可能に架設されている。
前記それぞれの取付部４２ａの端面には、孔４３が設けられ、この孔４３に前記可変抵抗器３２の回転軸３３が圧入されて係合するようになっている。
また、球体４１の中央部には、上下方向に長溝４５が貫通形成されている。前記第１と第２の連動部材３１、４０は、スリット孔３５と長溝４５とが直交するように配設されている。
【０００４】
前記第２連動部材４０の長溝４５には、操作軸３６が挿通されている。この操作軸３６は、中央部分に小判形状の支持部３８が形成され、この支持部３８には上下に棒状の支柱が一体形成されて突出している。そして、下方に突出する操作軸３６の端部３６ａ寄りには、操作軸３６と一体化された円盤状のバネ受け４７が形成されている。
前記操作軸３６の支持部３８には、小孔３９が形成され、この孔３９と、第２連動部材４０の側部に形成された孔４４とを位置合わせし、この位置合わせされた互いの孔３９、４４に丸ピン４６を挿入、または圧入することによって、操作軸３６が第２連動部材４０に傾動可能に取り付けられている。
【０００５】
また、支持部３８から上方に延びる操作軸３６は、第１連動部材３１のスリット孔３５に挿通され、この操作軸３６を第１連動部材３１のスリット孔３５に沿って傾動させることによって、第２連動部材４０が取付部４２ａ、４２ａを支軸として回動可能になっている。また、スリット孔３５から上方に延びる操作軸３６の上端にはツマミ５５が固着されて取り付けられている。
前記操作軸３６の下方の端部３６ａには、樹脂材料等から成る外形が皿状の操作体３７が取り付けられている。この操作体３７は、中央部にボス部３７ａが突出形成され、このボス部３７ａに形成された孔５０に操作軸３６の端部３６ａが挿入されて、操作体３７が上下動可能になっている。
前記枠体３０の下方の開放部分には、底板４９が取付られて、開放された枠体３０の下部を蓋閉すると共に、操作体３７が弾接するようになっている。
【０００６】
前記第１連動部材３１は、丸ピン４６を支点として、操作軸３６を第２連動部材４０の長溝４５に沿って傾動させることによって、取付部３１ａ、３１ａを支軸として回動可能になっている。また、第２連動部材４０は、操作軸３６を第１連動部材３１のスリット孔３５に沿って傾動させることによって、取付部４２ａ、４２ａを支軸として回動可能になっている。
このような枠体３０内に架設された第１、第２の連動部材３１、４０のそれぞれの孔３４、４３には、枠体３０の側板に係止されている可変抵抗器３２、３２の回転軸３３が圧入され、一体的に動作するようになっている。
【０００７】
前記操作軸３６のバネ受け部４７と操作体３７の内底面との間には、略円錐形状の復帰バネ４８が張架され、この復帰バネ４８の弾性力で操作体３７を底板４９に弾接することにより、操作軸３６を直立の中立状態にさせることができるようになっている。
【０００８】
次に従来の多方向入力装置の動作について説明すると、まず、図１２に示すように、未作動持の操作軸３６は、上端が枠体３０の上部側板の孔５６から直立して上方に突出し、操作体３７は復帰バネ４８によって、水平状態で底板４９に弾接し、操作軸３６は直立の中立状態になっている。
この状態から図１３に示すように、操作軸３６を、第２連動部材４０の長溝４５に沿って例えば時計回り方向の右方向に傾動させることによって、第１連動部材３１が回動し、この回動で可変抵抗器３２を操作して抵抗値を変化させることができる。
前記操作体３７は、操作軸３６の傾動動作によって図１３に示すように傾斜し、この傾斜した操作体３７の周縁の一部が底板４９の底面を摺接移動する。これに伴って操作体３７が円形のバネ受け部４７方向に移動して、復帰バネ４８を圧縮して撓ませる。
【０００９】
そして、前記操作軸３６に加えていた操作力を解除すると、復帰バネ４８の弾性力によって傾斜していた操作体３７が、底板４９の底面に沿って摺接移動し、操作体３７は暫次下部枠体４９の底面に対して水平方向に移動し、操作軸３６は、図１２に示しす直立の中立状態に自動復帰するようになっている。
また、第２連動部材４０のアーム部４２に係合されている可変抵抗器３２を操作するには、操作軸３６を第１連動部材３１のスリット孔３５に沿って傾動させることによって、第２連動部材４０が回動し、この回動で可変抵抗器３２を操作することができる。
【００１０】
【発明が解決しようとする課題】
しかし、前述したような従来の多方向入力装置では、復帰バネ４８を操作軸３６の傾動支点である丸ピン４６の位置より下方の、バネ受け部４７と操作体３７の内底面との間で張架しているので、丸ピン４６から操作体３７までの距離が長くなり、多方向入力装置の高さ方向の寸法が大きくなり薄型化が難しいという問題があった。
また、操作軸３６を第２連動部材４０に軸支するのに丸ピン４６を使用していたので、部品点数が多くなると共に、丸ピン４６を第２連動部材４０に圧入する作業が必要になり組立工程が複雑になっていた。
本発明は、前述のような課題を解決して薄型化が可能で、部品点数が少なく、且つ組立効率のよい低コストの多方向装置を提供することを目的とするものである。
【００１１】
【課題を解決するための手段】
前記課題を解決するするための第１の手段として本発明の多方向入力装置は、長手方向にスリット孔を有する回動可能な第１連動部材と、この第１連動部材の長手方向と直交する方向に配設され、長溝を有すると共に、回動可能な第２連動部材と、前記第１と第２の連動部材を内部に架設する枠体と、前記スリット孔と前記長溝とに挿通され、前記第２連動部材に傾動可能に軸支される操作軸と、この操作軸の操作により前記第１と第２の連動部材を介して操作可能な前記枠体に取り付けられた複数の電気部品と、前記操作軸の非操作時には前記操作軸を直立の中立状態に自動復帰させる復帰バネと、前記枠体内部に位置する前記相違差軸の先端部に移動可能に支持した操作体と、前記復帰バネの弾性力で前記操作体が弾接して、前記枠体の下部を蓋閉する底板とを備え、前記操作軸に前記復帰バネを収納する収納部を有する筒部を設け、この筒部を前記第２連動部材の前記長溝内に軸支するような構成とした。
【００１２】
また、前記課題を解決するするための第２の手段として、前記操作軸には、前記筒部の外壁の一部に軸支部を設け、前記第２連動部材の前記長溝内に前記軸支部が係合可能な係合部を有し、前記軸支部を前記係合部に係合させて前記操作軸を前記第２連動部材に軸支するような構成とした。
【００１３】
また、前記課題を解決するするための第３の手段として、前記操作軸の前記軸支部を凸状、または凹状に形成し、前記第２連動部材の前記係合部を前記軸支部が係合可能な凹状、または凸状に形成するような構成とした。
【００１４】
また、前記課題を解決するするための第４の手段として、前記操作体は、底面が皿状の基部を有し、この基部の中央部に前記枠体の内方に向けて突出するボス部を設け、前記操作軸の先端部を前記ボス部に形成した軸孔に挿入すると共に、前記ボス部を前記収納部に移動可能に嵌合させるような構成とした。
【００１５】
また、前記課題を解決するするための第５の手段として、前記収納部に収納した前記復帰バネを前記ボス部に弾接するような構成とした。
【００１６】
前記操作体の底面の外形の大きさを、前記操作軸の前記収納部より大きくするような構成とした。
【００１７】
【発明の実施の形態】
本発明の多方向入力装置の１実施の形態について、図１〜１０を基に説明する。
図１は本発明の多方向入力装置の分解斜視図であり、図２〜図４は本発明に係わる第２連動部材を説明する図であり、図５〜図７は本発明に係わる操作軸を説明する図であり、図８〜図１０は本発明の多方向入力装置の動作を説明する図である。
【００１８】
まず本発明の多方向入力装置は、図１に示すように、鉄板等から成る枠体１が配設され、この枠体１は、プレス等で図示下方に折り曲げられた側板１ａ、１ｂ、１ｃ、１ｄを有し、内部が空洞で下部が開放され、外形が略直方体に形成されている。また、枠体１の上部が上板１ｅで蓋閉され、この上板１ｅの中央部には操作孔１ｆが形成されている。
前記側板１ｂ以外の３つの側板１ａ、１ｃ、１ｄには、それぞれ丸孔１ｇが形成され、更に側板１ａ、１ｃには後述する電気部品である可変抵抗器３を取り付けるための複数の角穴（図示せず）が設けられている。また、側板１ａが対向する側の側板１ｂには、側板１ａの丸孔１ｇが対向する位置に略半円形状の支持部１ｈが形成され、この支持部１ｈの図示左右に側板１ｂから外方に略直角に折り曲げられた部品押さえ脚１ｊ、１ｊが形成されている。
【００１９】
また、相対向する側板１ｃ、１ｄのそれぞれの下部には、図示しないプリント基板等に本発明の多方向入力装置を取り付けるための、複数の取付端子１ｋが下方側に延出形成されている。
また、側板１ａ、１ｂの下方には、後述する底板８を取り付けるための舌片１ｍ、１ｍがそれぞれ形成されている。
【００２０】
前記枠体１の空洞内部には、リン青銅板等から成る第１連動部材２が配設されている。そして、この第１連動部材２は、プレス等でアーチ状に上方側に湾曲形成され、このアーチ状部分の長手方向にスリット孔２ａが打ち抜き形成されている。
また、前記第１連動部材２の両端部が下方側に折り曲げられ、この折り曲げられた図示左側の一端部にはパイプ状の支持部２ｂが絞り加工等で突出形成され、この支持部２ｂが側板１ｄの丸孔１ｇに挿入されて回転可能に支持されるようになっている。
【００２１】
前記第１連動部材２の図示右側の他端部は、略Ｕ字状に折り曲げられて部品操作部２ｃが形成され、この部品操作部２ｃは、枠体１の側板１ｃに形成された丸孔（図示せず）に挿入され、この丸孔から外方に突出し、後述する可変抵抗器３の摺動子受３ｄの横溝と係合するようになっている。
前記第１の連動部材２は、枠体１の側板１ｃ、１ｄのそれぞれの丸孔に橋渡しされ、アーチ状に形成された部分が枠体１内部で回動可能に架設されている。
また、前記枠体１の側板１ａと、この側板１ａに隣接する側板１ｃに設けられた図示しない複数の角孔には電気部品である、例えば可変抵抗器３、３がスナップ係合等で取り付けられている。
【００２２】
前記可変抵抗器３は、図８に示すように、ケース３ａの内部にインサート成型等で一体形成された基板３ｂが配設され、摺動子片３ｃを取り付けた摺動子受け３ｄが基板３ｂに回転自在にスナップ係合等で取り付けられ、摺動子受け３ｄの回転中心には、縦溝と横溝とを組み合わせた係合溝を有する操作部３ｅが形成されている。
そして、前記枠体１の側板１ｃの丸孔（図示せず）から外方に突出している第１連動部材２の部品操作部２ｃが、側板１ｃに取り付けられている可変抵抗器３の操作部３ｅに係合し、前記第１連動部材２が回動すると可変抵抗器３の摺動子受け３ｄが回転して、可変抵抗器３の抵抗値が変化するようになっている。
【００２３】
前記第１連動部材２のスリット孔２ａには、操作軸４の摘み部４ａが挿通され、摘み部４ａ、および根元部４ｂがスリット孔２ａに沿って移動可能になっている。  このような操作軸４は合成樹脂材料から成り、図５〜図７に示すように、小判形状に形成された摘み部４ａの根元部４ｂが円形に形成されている。この円形の根元部４ｂには内部が空洞の筒部４ｃが一体形成されている。
この筒部４ｃは、下方が開放され周囲が外壁で覆われて、内部に後述する略円形の復帰バネ７を収納するための収納部４ｄが空洞状に形成され、図５に示す筒部４ｃの外壁に対向状態で平坦部４ｅ、４ｅが形成され、この平坦部４ｅ、４ｅの一部に、所定の径寸法と高さ寸法で小判形状の軸支部４ｆ、４ｆが凸状に突出形成されている。
前記収納部４ｄの内部には、摘み部４ａと同一軸心上に軸部４ｇが図示下方に延長して一体形成され、この軸部４ｇの先端部４ｈがバネ収納部４ｄより所定量だけ下方側に突出した状態になっている。
前記操作軸４は、軸支部４ｆを第２連動部材５に軸支することによって、矢印Ａ−Ａ方向、および矢印Ｂ−Ｂ方向に傾動可能になっている。
【００２４】
前記第２連動部材５は合成樹脂材料から成り、第１連動部材２の下方側に、第１連動部材２と直交する方向に配設されている。
この第２連動部材５は、図２に示すように略中央部に外形が略矩形の支持部５ａが形成されこの支持部５ａは周囲が横長と縦長の側壁５ｂで囲まれ、この側壁５ｂに囲まれた内側に略矩形の長溝５ｃが貫通形成されている。
前記支持部５ａの横長の側壁５ｂ、５ｂの所定位置には、操作軸４の軸支部４ｆ、４ｆが係合可能な係合部５ｄ、５ｄが貫通、あるいは所定の深さで凹状に形成されている。また、図３に示す係合部５ｄの上方で横長の側壁５ｂ、５ｂの内面側のコーナー部には所定寸法の面取り部５ｅ、５ｅが、それぞれ形成されている。このガイド部５ｅ、５ｅによって、操作軸４を第２連動部材５にスナップ係合により軸支するときに、軸支部４ｆを係合部５ｄにスムーズに案内することができるようになっている。
【００２５】
前記支持部５ａからは、図３に示すように、左右の水平方向に第１と第２のアーム部５ｆ、５ｇが、それぞれ延出形成されている。そして、一方側に延出する第１アーム部５ｆには、所定の径寸法の支持部５ｈが形成され、この支持部５ｈから所定の幅寸法の板状の部品操作部５ｊが突出形成されている。
また、他方側に延出する第２アーム部５ｇには、所定の径寸法の支持部５ｋが形成され、この支持部５ｋから上面が平坦状に形成され下面が半円状に形成された部品操作部５ｍが延出形成されている。
【００２６】
前記第２連動部材５は、第１アーム部５ｆの支持部５ｈが、枠体１の側板１ａの丸孔１ｇに挿入されて回転可能に支持され、第２アーム部５ｇの支持部５ｋが、側板１ｂの半円状の支持部１ｈに位置して支持されて、第２連動部材５は、回動可能で、一端部である部品操作部５ｍが上下動可能に枠体１内部に架設されるようになっている。
そして、第１アーム部５ｆの部品操作部５ｊが、側板１ａに取り付けられた可変抵抗器３の操作部３ｅの縦溝と係合し、第２アーム部５ｇの部品操作部５ｍは、後述する底板８に取り付けられた電気部品、例えば押し釦スイッチ９等のステム部９ａ上に位置するようになっている。
【００２７】
前記第２連動部材５に軸支されて、枠体１の内部に位置する操作軸４の先端部４ｈには、操作軸４の軸心方向に移動可能な操作体６が配設されている。
この操作体６は、樹脂材料から成り、下方側に外形が円形で底面が皿状に湾曲形成された基部６ａを有し、この基部６ａの中央部に枠体１の内方に向けて突出する筒状のボス部６ｂが突出形成され、このボス部６ｂ中央に軸孔６ｃが貫通形成されている。
前記操作体６は、操作軸４の先端部４ｈを軸孔６ｃに挿入すると共に、ボス部６ｂを筒部４ｃの収納部４ｄに移動可能に嵌合させている。
【００２８】
前記操作体６のボス部６ｂと操作軸４の筒部４ｃとの間に、所定の弾性力のコイルバネから成る復帰バネ７が配設されている。この復帰バネ７は、上下の巻端部が、筒部４ｃ内の収納部４ｄの天井面と、操作体６のボス部６ｃ上面とにそれぞれ弾接して配設され、復帰バネ７は、軸部４ｇに挿入されると共に、摘み部４ａ側の一端部は筒部４ｃの内壁にガイドされ、他端部はボス部６ｂの外壁にガイドされて、復帰バネ７の前後左右の動きが規制されるようになっている。
【００２９】
前記操作体６の下部には、復帰バネ７の弾性力で操作体６が弾接し、枠体１の下部を蓋閉する底板８が配設されている。この底板８は、樹脂材料から成り外形が略矩形に形成され、周囲に側壁８ａが部分的に形成され、この側壁８ａの内部に平坦状の内底面８ｂが形成されている。
また、底板８の一方側の側壁８ａからは、例えば押し釦スイッチ９等から成る電気部品を取り付けるための部品取付部８ｃが突出形成されている。この部品取付部８ｃが形成された側壁８ａと隣り合う側壁８ａには、枠体１の側板１ｃ、１ｄの下方側の端部を位置決めするための複数のガイド部８ｄが突出形成されている。
【００３０】
前記部品取付部８ｃに取り付けられる押し釦スイッチ９は、内部のスイッチ回路（図示せず）をＯＮ／ＯＦＦすることができるステム部９ａと、内部のスイッチ回路を密閉するケース９ｂとこのケース９ｂの側面から下方に延びる複数の取付端子９ｃとが形成されている。このような押し釦スイッチ９は、底板８の部品取付部８ｃに取付端子９ｃがスナップ係合等で仮止めすることができるようになっている。
【００３１】
前述したような本発明の多方向入力装置の組立は、まず、枠体１の開放された下部側からアーチ状の第１連動部材２を挿入し、側壁１ｃの丸孔（図示せず）に部品操作部２ｃを挿入すると共に、側板１ｄの丸孔１ｇに支持部２ｂを挿入して、第１連動部材２を枠体１内部に架設して取り付ける。
次に、操作軸４の筒部４ｃを第２連動部材５の長孔５ａ内に挿入し、凸状の軸支部４ｆを側壁５ｂの面取り部５ｅに位置させる。この状態で、操作軸４を図示しない治具等で下方の長溝５ｃに押圧すると、側壁５ｂが弾性変形して外方に押し広げられ、凸状の軸支部４ｆが側壁５ｂの凹状の係合部５ｄにスナップ係合し、操作軸４の筒部４ｃを第２連動部材５の長溝５ｃ内に軸支する。
即ち、操作軸４の筒部４ｃの平坦部４ｅから成る外壁を、第２連動部材５の長孔５ａ内に保持して、操作軸４を第２連動部材５に軸支する。
次に、軸支部４ｆの小判形状の両側の直線部と、円形の係合部５ｄとで形成されるスペースにグリスを注入して、操作軸４と第２連動部材５とにキシミ等の不具合が発生しないようにしている。
【００３２】
次に、前記第２連動部材５に軸支した操作軸４の摘み部４ａを第１連動部材２のスリット孔２ａに挿通させると共に、枠体１の操作孔１ｆから外方に突出させ、円形の根元部４ｂをスリット孔２ａに位置させる。
そして、第２連動部材５の第１アーム部５ｆの支持部５ｈを枠体１の側板１ａの丸孔１ｇに挿入して、先端部の部品操作部５ｊを側板１ａから外側に突出させると共に、第２アーム部５ｇの支持部５ｋを枠体１の側板１ｂの支持部１ｈに位置させる。
【００３３】
次に、第１と第２の連動部材２、５を架設した枠体１を逆さにし、開放された下部を上向きする。そして、逆さになった操作軸４の先端部４ｈに復帰バネ７を挿入し、筒部４ｃの収納部４ｄに復帰バネを収納する。
次に、操作体６の軸孔６ｃを操作軸４の先端部４ｈに挿入すると、操作体６のボス部６ｂが操作軸４の筒部４ｃ内に移動可能に嵌合する。そして、操作体６は復帰バネ７に弾接する。
前記逆さにした枠体１に、部品取付部８ｃに押し釦スイッチ９を仮止めした底板８を逆さにして取り付ける。すると、ガイド部９ｄ、９ｄに側板１ｃの端部が案内されて枠体１が底板８に位置決めされると共に、押し釦スイッチ９のケース９ｂの上面に、側板１ｂの部品押さえ脚１ｊ、１ｊが位置して、押し釦スイッチ９が底板８に固定される。
【００３４】
そして、枠体１の側板１ａ、１ｂに形成している複数の舌片１ｍをカシメると、枠体１に底板８が一体化され、操作体６が底板８に弾接して、図８に示すように、操作軸４が直立の中立状態になる。
次に、側板１ａから突出する第２連動部材５の部品操作部５ｊに可変抵抗器３の操作部３ｅを位置合わせし、側板１ａに形成されている複数の角穴（図示せず）に可変抵抗器３をスナップ係合させる。
また、側板１ｃから外方に突出する第１連動部材２の部品操作部２ｃに、前述と同様に可変抵抗器３を位置合わせして、側板１ｃに可変抵抗器３を取り付けて本発明の多方向入力装置の組立が終了する。
前記組立では、第１と第２の連動部材２、５を枠体１に取り付けた後に、可変抵抗器３から成る電気部品を枠体１に取り付け工程で説明したが、第１と第２の連動部材２、５を枠体１に取り付ける前に、可変抵抗器３を取り付けてもよい。
【００３５】
次に本発明の多方向入力装置の動作を説明すると、まず、操作軸４の摘み部４ａに操作力が加わってない無負荷のときは、図８に示すように、復帰バネ７の弾性力により、操作体６が底板８の内底面８ｂに弾接されて、操作部６ａの皿状の底面が水平状態になると共に、操作軸４が直立の中立状態になっている。
この中立状態の操作軸４のツマミ部４ａに、矢印Ｂ方向の操作力を加えて、操作軸４を傾動させると、第２連動部材５が第１と第２のアーム部５ｆ、５ｇのそれぞれの支持部５ｈ、５ｋを支点として回動し、図９に示すように、操作体６の基部６ｂの底面が底板８の内底面８ｂ上を摺接移動し、基部６ａの底面の外周部の一部が底板８の内底面８ｂ上に位置して、操作体６が傾斜する。
【００３６】
そして、操作体６は復帰バネ７の弾性力に抗してボス部６ｂが操作軸４の筒部４ｃの収納部４ｄ内に押し込まれる。
前記操作軸４を傾動させて第２連動部材５が回動すると、第１アーム部５ｆの部品操作部５ｊが係合している側板１ａに取り付けられている可変抵抗器３の摺動子受け３ｄが回転して、可変抵抗器３の抵抗値が変化する。
そして、側板１ａに取り付けられている可変抵抗器３の操作が終了して、操作軸４に加えていた操作力を解除すると、復帰バネ７の弾性力によって、操作体６が自動的に水平状態に戻り、操作軸４が直立の中立状態に自動復帰する。
【００３７】
また、操作軸４に矢印Ａ方向の操作力を加えて、操作軸４を傾動させると、第１連動部材２が支持部２ｂと部品操作部２ｃを支点として回動する。
この第１連動部材２が回動すると、側板１ｃに取り付けられて部品操作部２ｃが係合している可変抵抗器３の摺動子受け３ｄが回転して、可変抵抗器３の抵抗値が変化する。
【００３８】
次に、押し釦スイッチ９の操作は、図１０に示す中立状態の操作軸４を矢印Ｃ方向の下方に加重を加えて押圧する。
すると、前記枠体１の側板１ａの丸孔１ｇ挿入されている第２の連動部材５の第１アーム部５ｆの支持部５ｈを支点として、第２アーム部５ｇが下方側に移動する。すると、枠体１の側板１ｂの半円状の支持部１ｈから外方に出っ張っている一端部の部品操作部５ｍが上下動し、この部品操作部５ｍが押し釦スイッチ９のステム部９ａを押圧して押し釦スイッチ９のＯＮ／ＯＦＦ操作をすることができる。
前記操作軸４を矢印Ｃ方向への押圧は、操作軸４が中立状態だけではなく、操作軸４を傾動させて、可変抵抗器３の抵抗値が所定値になった時点で押圧することもできるようになっている。
【００３９】
本発明の多方向入力装置の実施の形態では、操作軸４の筒部４ｃの外壁の一部に形成した軸支部４ｆを、第２連動部材５の長溝５ｃ内の係合部５ｄに係合させて、操作軸４を第２連動部材５に傾動可能に軸支した物で説明したが、操作軸４を第２連動部材５に、例えば丸ピン（図示せず）等で軸支して、操作軸４を第２連動部材５に軸支するようにしたものでもよい。
即ち、本発明の多方向入力装置は、軸支部４ｆ、あるいは係合部５ｄの形状等に関係なく、操作軸４の筒部４ｃを第２連動部材５の長溝５ｃ内に軸支するようにしたものであればよい。
【００４０】
また、操作軸４側の軸支部４ｆを凸状に形成し、第２連動部材５の係合部５ｄを凹状に形成した物で説明したが、軸支部４ｆを凹状に、係合部５ｄを凸状に形成したものでもよい。
また、複数の電気部品を、可変抵抗器３と押し釦スイッチ９とで説明したが、その他の回転操作が可能な電気部品、あるいはプッシュ操作が可能な電気部品であればかまわない。
【００４１】
また、操作軸４の筒部４ｃを周囲が囲まれた筒状の物で説明したが、軸支部４ｆが形成されている部分以外は開放された物でもよい。この場合は、軸支部４ｆを第２連動部材５の係合部５ｄにスナップ係合させる組立作業時に、軸支部４ｆが弾性変形しやすくなり、スナップ係合の作業性がよくなる。
また、本発明の実施の形態では、操作軸４、底板８を合成樹脂で形成したが、強度、寿命による削れ防止等の問題から、ダイカスト等の金属材料で形成してもよい。
また、本発明の実施の形態では、操作軸４を傾動操作時するときに摘み部４ａ側に傾動ストッパがない物で説明したが、枠体１の上板１ｅの中央部に、第１連動部材２のスリット孔２ａ上の一部を覆う、例えば椀をかぶせたような絞り部（図示せず）を設け、この絞り部の中央部に、操作軸４の傾動操作時に摘み部４ａの根元部４ｂが当接する開口孔（図示せず）を形成し、この開口孔で操作軸４の傾動ストッパとした物でもよい。
【００４２】
【発明の効果】
本発明の多方向入力スイッチは、操作軸に復帰バネを収納する収納部を有する筒部を設け、この筒部を第２連動部材の長溝内に回転可能に軸支するようにしたので、この軸支部分近傍に復帰バネを配置することが可能になり、薄型の多方向入力装置を提供することができる。
【００４３】
また、前記課題を解決するするための第２の手段として、前記操作軸には、前記筒部の外壁の一部に軸支部を設け、前記第２連動部材の前記長溝内に前記軸支部が係合可能な係合部を有し、前記軸支部を前記係合部に係合させて前記操作軸を前記第２連動部材に軸支するようにしたので、収納部の外壁の軸支部を、第２連動部材の係合部にスナップ係合させることが可能となり、操作軸と第２連動部材とを軸支するための特別な部品（例えば丸ピン）等が不要になり、組立作業性がよいと共に、部品点数の少ない低コストの多方向入力装置を提供できる。
【００４４】
また、前記課題を解決するするための第３の手段として、前記操作軸の前記軸支部を凸状、または凹状に形成し、前記第２連動部材の前記係合部を前記軸支部が係合可能な凹状、または凸状に形成するようにしたので、凸状、または凹状から成る軸支部と係合部とで、操作軸を第２連動部材に確実にスナップ係合させて抜け止めすることができる。
【００４５】
また、前記課題を解決するするための第４の手段として、操作体は、底面が皿状の基部を有し、この基部の中央部に枠体の内方に向けて突出するボス部を設け、前記操作軸の先端部を前記ボス部に形成した軸孔に挿入すると共に、前記ボス部を前記収納部に移動可能に嵌合させるようにしたので、操作軸を傾動させても、操作体のボス部を操作軸の収納部内でスムーズに移動させることでき、操作軸の操作フィーリングのよい多方向入力装置を提供することができる。
【００４６】
また、前記課題を解決するするための第５の手段として、前記収納部に収納した前記復帰バネを前記ボス部に弾接するようにしたので、操作体を収納部内で更にスムーズに移動させることできる。また、復帰バネを収納部内に収納することで、復帰バネの横方向への動きを小さくすることができ、復帰バネの弾性力を確実に操作体の伝達することができる。そのために、操作軸に加えていた操作力を解除すると、迅速、且つ確実に操作軸を直立の中立状態に復帰させることができる。
【００４７】
また、前記操作体の底面の外形の大きさを、前記操作軸の前記収納部より大きくしたので、操作軸を傾動させたときに、操作体の軸心方向への移動量を大きくすることができ、復帰バネの撓み量を大きくすることができる。そのために、操作体に大きな弾性力を加えることができ、操作軸に加えていた操作力を解除すると、更に迅速、且つ確実に操作軸を直立の中立状態に復帰させることができる。
【図面の簡単な説明】
【図１】本発明の多方向入力装置の分解斜視図である。
【図２】本発明に係わる第２連動部材の上面図である。
【図３】本発明の係わる第２連動部材の正面図である。
【図４】本発明の係わる第２連動部材の側面図である。
【図５】本発明に係わる操作軸の上面図である。
【図６】本発明に係わる操作軸の正面図である。
【図７】本発明に係わる操作軸の図５の７−７断面図である。
【図８】本発明の多方向入力装置の要部断面図である。
【図９】本発明の多方向入力装置の動作を説明する要部断面図である。
【図１０】本発明の多方向入力装置の要部断面図である。
【図１１】従来の多方向入力装置の斜視図。
【図１２】従来の多方向入力装置の要部断面図である。
【図１３】従来の多方向入力装置の動作を説明する要部断面図である。
【符号の説明】
１  枠体
１ａ〜１ｄ  側板
１ｅ  上板
１ｆ  操作孔
１ｇ  丸孔
１ｈ  支持部
１ｋ  取付端子
１ｍ  舌片
２  第１連動部材
２ａ  スリット孔
２ｂ  支持部
２ｃ  部品操作部
３  可変抵抗器
３ａ  ケース
３ｂ  基板
３ｄ  摺動子受け
３ｅ  操作部
４  操作軸
４ａ  摘み部
４ｃ  筒部
４ｄ  収納部
４ｅ  平坦部
４ｆ  軸支部
４ｇ  軸部
４ｈ  先端部
５  第２連動部材
５ａ  支持部
５ｂ  側壁
５ｃ  長溝
５ｄ  保持部
５ｆ  第１アーム部
５ｇ  第２アーム部
５ｊ  部品操作部
５ｍ  部品操作部
６  操作体
６ａ  基部
６ｂ  ボス部
６ｃ  軸孔
７  復帰バネ
８  底板
８ａ  側板
８ｂ  内底面
８ｃ  部品取付部
８ｄ  ガイド部
９  押し釦スイッチ
９ａ  ステム部
【図１】
0003698565.tif 000002
【図２】
0003698565.tif 000003
【図３】
0003698565.tif 000004
【図４】
0003698565.tif 000005
【図５】
0003698565.tif 000006
【図６】
0003698565.tif 000007
【図７】
0003698565.tif 000008
【図８】
0003698565.tif 000009
【図９】
0003698565.tif 000010
【図１０】
0003698565.tif 000011
【図１１】
0003698565.tif 000012
【図１２】
0003698565.tif 000013
【図１３】
0003698565.tif 000014